(57)【要約】【課題】イヤホン全体で見たときの装飾性が高く、かつ、使用者の好みに応じて装飾部分を容易に交換可能なイヤホンを提供する。【解決手段】イヤホン１０は、一対のイヤホン本体部２０Ａ、２０Ｂと、該イヤホン本体部２０Ａ、２０Ｂから伸びる一対のイヤホンコード４０Ａ、４０Ｂと、該一対のイヤホンコード４０Ａ、４０Ｂを束ねる台座を有するアクセサリー部５０によって構成されている。前記イヤホン本体部２０Ａ、２０Ｂには、それぞれ第１の装飾部３０が設けられており、アクセサリー部５０には第２の装飾部６０が設けられている。このため、イヤホン１０を使用者８０が装着したときに、全体としての美観が向上する。また、第１の装飾部３０と第２の装飾部６０が着脱可能であり、かつ、交換可能であるため、使用者８０の気分に応じて容易に装飾部分を交換することができる。【選択図】図１
2020107977.tif 000002
【特許請求の範囲】
【請求項１】
一対のイヤホン本体部と、
該一対のイヤホン本体部から伸びる一対のイヤホンコードを束ねる台座と、
を備え、
前記一対のイヤホン本体部は、
略筒状のハウジングに設けられるイヤーピースとは反対側の端部に、第１の着脱手段を介して、略円柱状の基部を有する第１の装飾部が設けられ、
前記台座は、
一方の主面に、第２の着脱手段を介して、略円柱状の基部を有する第２の装飾部が設けられており、
前記第１の着脱手段と第２の着脱手段が、同一の寸法及び形状であって、前記第１の装飾部と第２の装飾部が、交換可能であることを特徴とするイヤホン。
【請求項２】
前記ハウジングの端部と前記第１の装飾部の基部との間に、これらの径よりも小さい径を有する略円筒状の部材を備えた前記第１の着脱手段が形成され、
前記台座の一方の主面と前記第２の装飾部の基部との間に、該第２の基部の径よりも小さい径を有する略円筒状の部材を備えた前記第２の着脱手段が形成されることを特徴とする請求項１に記載のイヤホン。
【請求項３】
前記第１の着脱手段及び第２の着脱手段の略円筒状の部材の高さが、２〜３ｍｍであることを特徴とする請求項２記載のイヤホン。
【請求項４】
前記第１の着脱手段及び前記第２の着脱手段が、ネジ式であることを特徴とする請求項１〜３のいずれか一項に記載のイヤホン。
【請求項５】
前記台座が、前記一対のイヤホンコードに対してスライド可能なスライダを備えており、前記台座の位置が調整可能であることを特徴とする請求項１〜４のいずれか一項に記載のイヤホン。
【請求項６】
前記第１の装飾部は、該第１の装飾部の前記基部から膨出した形状の第１の装飾体を備え、
前記第２の装飾部は、該第２の装飾部の前記基部から膨出した形状の第２の装飾体を備えることを特徴とする請求項１〜５のいずれか一項に記載のイヤホン。
【発明の詳細な説明】
【技術分野】
【０００１】
本発明は、イヤホンに関し、更に具体的には、装飾性を高めたイヤホンに関するものである。
【背景技術】
【０００２】
従来より、イヤホンに装飾性をもたせるための技術が提案されている。例えば、下記特許文献１には、イヤホンコードの構成体である電線コードの外周に設けられ、電線コードの外周に装着されたとき単体または複数体で花柄、星柄、球状柄、矩形柄、柱状柄、ハート柄および螺旋状柄等の装飾模様を形成するイヤホンコード用装飾具、および電線コードの外周に単体または複数体で、花柄、星柄、球状柄、矩形柄、柱状柄、ハート柄および螺旋状柄等の装飾模様を形成する装飾具が装着されているイヤホンコードが開示されている。
【０００３】
また、下記特許文献２には、２本のイヤホンコードに接続された２つのイヤホンユニットのケース一側面に磁石を備え、両者が磁石で接合することにより連続した背面に文字若しくは図形が形成されてなることを特徴とし、これによりイヤホンの未使用時には連続したデザインが形成され、使用時にも背面に文字や図形の一部が表示されファッション性を加味するイヤホンが開示されている。
【先行技術文献】
【特許文献】
【０００４】
【特許文献１】特開２００４−１８０２５２号公報
【特許文献２】実用新案登録第３１９９２３１号公報
【発明の概要】
【発明が解決しようとする課題】
【０００５】
しかしながら、上述した特許文献１に記載の技術では、イヤホンコードを構成する電線コードの外周に装飾体を装着するため、使用者の好みに応じて容易に装飾体を取り換えることが困難である。また、前記特許文献２に記載の技術では、文字や図形は、イヤホンユニットのケースに形成されているため、特許文献１の場合と同様に、使用者の好みに応じて容易に文字や図形等を取り換えることができない。また、従来の技術では、イヤホンコードやイヤホン部分の装飾にのみ着目されており、イヤホン全体で見たときの装飾性が十分に高いとは言えない。
【０００６】
本発明は、以上のような点に着目したもので、イヤホン全体で見たときの装飾性が高く、かつ、使用者の好みに応じて装飾部分を容易に交換可能なイヤホンを提供することを、その目的とする。
【課題を解決するための手段】
【０００７】
本発明のイヤホンは、一対のイヤホン本体部と、該一対のイヤホン本体部から伸びる一対のイヤホンコードを束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられ、前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能であることを特徴とするイヤホン。
【０００８】
主要な形態の一つは、前記ハウジングの端部と前記第１の装飾部の基部との間に、これらの径よりも小さい径を有する略円筒状の部材を備えた前記第１の着脱手段が形成され、前記台座の一方の主面と前記第２の装飾部の基部との間に、該第２の基部の径よりも小さい径を有する略円筒状の部材を備えた前記第２の着脱手段が形成されることを特徴とする。
【０００９】
他の形態は、前記第１の着脱手段及び第２の着脱手段の略円筒状の部材の高さが、２〜３ｍｍであることを特徴とする。更に他の形態は、前記第１の着脱手段及び前記第２の着脱手段が、ネジ式であることを特徴とする。更に他の形態は、前記台座が、前記一対のイヤホンコードに対してスライド可能なスライダを備えており、前記台座の位置が調整可能であることを特徴とする。
【００１０】
更に他の形態は、前記第１の装飾部は、該第１の装飾部の前記基部から膨出した形状の第１の装飾体を備え、前記第２の装飾部は、該第２の装飾部の前記基部から膨出した形状の第２の装飾体を備えることを特徴とする。本発明の前記及び他の目的，特徴，利点は、以下の詳細な説明及び添付図面から明瞭になろう。
【発明の効果】
【００１１】
本発明のイヤホンによれば、一対のイヤホン本体部と、該一対のイヤホン本体部から伸びる一対のイヤホンコードを束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられ、前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能であることとした。このため、一対のイヤホン本体部に設けられた第１の装飾部と、一対のイヤホンコードを束ねる位置にある台座に設けられた第２の装飾部により、イヤホン全体で見たときの装飾性が高い。また、前記第１の装飾部と第２の装飾部が交換可能なため、使用者の好みに応じて容易に装飾部分の交換が可能になるという効果がある。
【図面の簡単な説明】
【００１２】
【図１】本発明の実施例１のイヤホンを使用者が装着した様子を示す図である。
【図２】前記実施例１のイヤホン本体部を示す図であり、(A)はイヤホン本体部を示す外観斜視図、(B)はイヤホン本体部と装飾部の着脱構造を示す斜視図である。
【図３】前記実施例１のアクセサリー部を示す図であり、(A)は正面図、(B)は前記(A)を矢印Ｆ３方向から見た側面図、(C)は台座と装飾部の着脱構造を示す側面図である。
【図４】本発明の実施例２のイヤホンを示す図であり、(A)はアクセサリー部を示す正面図、(B)は本実施例のイヤホンを使用者が装着した様子を示す図である。
【発明を実施するための形態】
【００１３】
以下、本発明を実施するための最良の形態を、実施例に基づいて詳細に説明する。
【実施例１】
【００１４】
最初に、図１〜図３を参照しながら、本発明の実施例１を説明する。図１は、本実施例のイヤホンを使用者が装着した様子を示す図である。図２は、イヤホン本体部を示す図であり、(A)はイヤホン本体部を示す外観斜視図、(B)はイヤホン本体部と装飾部の着脱構造を示す斜視図である。図３は、イヤホンのアクセサリー部を示す図であり、(A)は正面図、(B)は前記(A)を矢印Ｆ３方向から見た側面図、(C)は台座と装飾部の着脱構造を示す側面図である。
【００１５】
図１に示すように、本実施例のイヤホン１０は、一対のイヤホン本体部２０Ａ、２０Ｂと、該イヤホン本体部２０Ａ、２０Ｂから伸びる一対のイヤホンコード４０Ａ、４０Ｂと、該一対のイヤホンコード４０Ａ、４０Ｂを束ねる台座を有するアクセサリー部５０によって構成されている。図示の例では、前記アクセサリー部５０は、使用者８０の胸元に位置している。
【００１６】
前記イヤホン本体部２０Ａ、２０Ｂには、それぞれ第１の装飾部３０が設けられており、アクセサリー部５０には第２の装飾部６０が設けられている。このため、イヤホン本体部２０Ａ、２０Ｂを使用者８０が装着することで、耳元の美観が向上する。また、本実施例では、前記アクセサリー部５０が使用者の胸元に位置しているため、該アクセサリー部５０に設けられた第２の装飾部６０により、ネックレスのような美観を与えることができる。
【００１７】
図２には、イヤホン本体部２０Ａの構造が示されている。なお、他方のイヤホン本体部２０Ｂの構成も、基本的にはイヤホン本体部２０Ａと同様であるため、ここでは、イヤホン本体部２０Ａを例に挙げて説明する。イヤホン本体部２０Ａは、略円筒状のハウジング２２の一方の端部に着脱可能なイヤーピース２４を備え、他方の端部に、第１の装飾部３０を備えている。また、前記ハウジング２２からは、該ハウジング２２の長手方向と略直交する方向にコード用のブッシング４０が設けられており、該ブッシング４０から一方のイヤホンコード４０Ａが伸びている。
【００１８】
前記ハウジング２２の第１の装飾部３０側の端部には、図２(B)に示すように、該ハウジング２２の径よりも小さい径を有する略円筒状の突起部２６が設けられている。該突起部２６の内周面には、ネジ部２８が形成されている。
【００１９】
一方、前記第１の装飾部３０は、前記ハウジング２２と略同一の径を有する略円柱状の基部３２を有している。該基部３２の一端側には、膨出形状を有する装飾体３４が設けられている。該装飾体３４は、例えば、プラスチック、金属、天然石などにより形成されている。また、前記基部３２の他端側には、該基部３２の径よりも小さい径を有する略円筒状の突起部３６が設けられている。該突起部３６の外周面には、ネジ部３８が形成されている。
【００２０】
前記イヤホン本体部２０Ａの突起部２６のネジ部２８と、第１の装飾体３０の突起部３６のネジ部３８を螺合することで、イヤホン本体部２０Ａに対して、第１の装飾部３０が着脱可能に取り付けられる。本実施例では、前記突起部２６、３６により第１の着脱手段が形成されていることになる。なお、第１の装飾部３０を装着した状態において、前記突起部２６の高さＨＡ（図２(A)参照）は、約２〜３ｍｍ程度である。
【００２１】
このように、ハウジング２２及び第１の装飾体３０の基部３２よりも径が小さい突起部２６、３６をネジ式で装着することで、ハウジング２２と第１の装飾体３０の間に、幅２〜３ｍｍの凹部が形成されるため、第１の装飾部３０を持って着脱操作をするのが容易となる。
【００２２】
次に、図３には、アクセサリー部５０の構造が示されている。アクセサリー部５０は、一対のイヤホンコード４０Ａ、４０Ｂを束ねる台座５２と、該台座５２の一方の主面に設けられた第２の装飾部６０により構成されている。前記台座５２は、本実施例では、略三角形の一角を対向する辺に対して平行に切った形状をしている。そして、一対のイヤホンコード４０Ａ、４０Ｂが一本のイヤホンコード４２に束ねられ、前記平行に切った部分から前記イヤホンコード４２が伸びている。
【００２３】
前記台座５２の一方の主面の略中央には、前記第２の装飾部６０の基部６２の径よりも小さい径を有する略円筒状の突起部５４が設けられている。該突起部５４の内周面には、ネジ部５６が形成されている。
【００２４】
一方、前記第２の装飾部６０は、前記ハウジング２２と略同一の径を有する略円柱状の基部６２を有している。該基部６２の一端側には、膨出形状を有する装飾体６４が設けられている。該装飾体６４は、例えば、プラスチック、金属、天然石などにより形成されている。前記装飾体６４は、イヤホン本体部２０Ａ、２０Ｂの装飾体３４と異なる色や素材により形成されている。また、前記基部６２の他端側には、該基部６２の径よりも小さい径を有する略円筒状の突起部６６が設けられている。該突起部６６の外周面には、ネジ部６８が形成されている。
【００２５】
前記台座５２の突起部５４のネジ部５６と、第２の装飾部６０の突起部６６のネジ部６８を螺合することで、台座５２に対して、第２の装飾部６０が着脱可能に取り付けられる。本実施例では、前記突起部５４、６６により第２の着脱手段が形成されていることになる。なお、第２の装飾部６０を装着した状態において、前記突起部５４の高さＨＢ（図３(B)参照）は、約２〜３ｍｍ程度である。
【００２６】
このように、前記ハウジング２２と略同一径を有する第２の装飾体６０の基部６２よりも径が小さい突起部５４、６６をネジ式で装着することで、台座５２と第２の装飾部６０の間に、幅２〜３ｍｍ程度の凹部が形成されるため、第２の装飾部６０を持って着脱操作をするのが容易となる。
【００２７】
以上のようなイヤホン１０を使用者８０が装着すると、一対のイヤホン本体部２０Ａ、２０Ｂに設けられた装飾体３４と、胸元に位置する台座５２に設けられた装飾体６４によって、イヤホン全体で見たときの装飾性が格段に向上する。また、前記装飾体３４と装飾体６４は、第１の装飾部３０と第２の装飾部６０を取り外すことで、使用者８０の好みや気分に応じて容易に交換することができる。なお、第１の装飾部３０及び第２の装飾部６０と同一の形状の交換パーツを用意しておくことで、更に装飾性を向上させるための幅が広がる。
【００２８】
このように、実施例１によれば、次のような効果がある。
(1)イヤホン１０は、一対のイヤホン本体部２０Ａ、２０Ｂと、該一対のイヤホン本体部２０Ａ、２０Ｂから伸びる一対のイヤホンコード４０Ａ、４０Ｂを束ねる台座５２を有するアクセサリー部５０とを備える。そして、前記一対のイヤホン本体部２０Ａ、２０Ｂは、略筒状のハウジング２２に設けられるイヤーピース２４と反対側の端部に、第１の着脱手段を介して略円柱状の基部３２を有する第１の装飾部３０が設けられている。前記台座５２は、一方の主面に、第２の着脱手段を介して、略円柱状の基部３２を有する第２の装飾部６０が設けられており、前記第１の着脱手段と第２の着脱手段を、同一の寸法及び形状とすることで、前記第１の装飾部３０と第２の装飾部６０が交換可能な構成とした。このため、イヤホン全体として見たときの装飾性が格段に向上する。また、使用者８０の好みや気分に応じて、容易に第１の装飾部３０と第２の装飾部６０を交換することが可能となる。
【００２９】
(2)前記ハウジング２２の端部と前記第１の装飾部３０の基部３２との間に、これらの径よりも小さい径を有する略円筒状の突起部２６、３６を設けて第１の着脱手段を形成し、前記台座５２の一方の主面と前記第２の装飾部６０の基部６２との間に、該第２の基部６２よりも小さい径を有する略円筒状の突起部５４、６６を設けて前記第２の着脱手段を形成することとした。また、前記突起部の高さを、２〜３ｍｍとした。このため、使用者８０が、第１の装飾部３０や第２の装飾部６０を手で持って着脱操作をするときに、幅２〜３ｍｍ程度の凹部を手掛かりにして容易に操作をすることが可能である。
(3)前記第１の着脱手段及び第２の着脱手段が、ネジ式であるため、第１の装飾部３０及び第２の装飾部６０が脱落しにくい。
(4)前記装飾体３４、６４が膨出形状であるため、目立ちやすく、一層装飾性が高くなる。
【実施例２】
【００３０】
次に、図４を参照しながら本発明の実施例２を説明する。なお、上述した実施例１と同一ないし対応する構成要素には同一の符号を用いることとする。図４(A)に示すように、本実施例のアクセサリー部５０Ａは、台座５２が、一対のイヤホンコード４０Ａ、４０Ｂを束ねる位置を調整できるように、裏面に公知のスライダ（図示せず）を備えている。そのため、図４(A)に矢印Ｆ４で示すように、一対のイヤホンコード４０Ａ、４０Ｂに沿ってスライドが可能となっている。
【００３１】
図４(B)には、本実施例のイヤホンを使用者８０が装着した様子が示されている。図示のように、本実施例では、アクセサリー部５０Ａが、実施例１よりも上方に位置しており、チョーカーのような美観を与えることができる。
【００３２】
本実施例の基本的な作用・効果は上述した実施例１と同様であるが、それに加え、アクセサリー部５０Ａの位置が調整可能であるため、子供から大人まで、幅広い体型の使用者が、好みの位置にアクセサリー部を持ってくることができる。また、気分に応じてチョーカー風に位置を上げて使用してみたりとバリエーションを増やすことができるという効果がある。
【００３３】
なお、本発明は、上述した実施例に限定されるものではなく、本発明の要旨を逸脱しない範囲内において種々変更を加え得ることができる。例えば、以下のものも含まれる。
(1)前記実施例で示した装飾体３４、６４の素材や形状は一例であり、同様の効果を奏する範囲内で適宜変更してよい。
(2)前記実施例で示した台座５２の形状も一例であり、必要に応じて適宜変更可能である。
(3)前記実施例では、第１の着脱手段及び第２の着脱手段をネジ式としたが、これも一例であり、凹凸の嵌合や、マグネットによる着脱など、同様の効果を奏する範囲内で、適宜変更可能である。
(4)本発明のイヤホンは、子供から大人まで、また、男性用・女性用を問わず、公知のあらゆるイヤホンに適用可能である。
【産業上の利用可能性】
【００３４】
本発明によれば、一対のイヤホン本体部と、該一対のイヤホン本体部から伸びる一対のイヤホンコードを束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられている。前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能である。このため、一対のイヤホン本体部に設けられた第１の装飾部と、一対のイヤホンコードを束ねる位置にある台座に設けられた第２の装飾部により、イヤホン全体で見たときの装飾性が高い。また、前記第１の装飾部と第２の装飾部が交換可能なため、使用者の好みに応じて容易に装飾部分を交換することができ、装飾性を重視したイヤホンの用途に好適である。
【符号の説明】
【００３５】
１０：イヤホン
２０Ａ、２０Ｂ：イヤホン本体部
２２：ハウジング
２４：イヤーピース
２６：突起部
２８：ネジ部
３０：第１の装飾部
３２：基部
３４：装飾体
３６：突起部
３８：ネジ部
４０：ブッシング
４０Ａ、４０Ｂ、４２：イヤホンコード
５０、５０Ａ：アクセサリー部
５２：台座
５４：突起部
５６：ネジ部
６０：第２の装飾部
６２：基部
６４：装飾体
６６：突起部
６８：ネジ部
８０：使用者
ＨＡ、ＨＢ：突起部の高さ
【図１】
2020107977.tif 000003
【図２】
2020107977.tif 000004
【図３】
2020107977.tif 000005
【図４】
2020107977.tif 000006
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
一対のイヤホン本体部と、
該一対のイヤホン本体部から伸びる一対のイヤホンコードを、使用者の胸元から首元の間で束ねる台座と、
を備え、
前記一対のイヤホン本体部は、
略筒状のハウジングに設けられるイヤーピースとは反対側の端部に、第１の着脱手段を介して、略円柱状の基部を有する第１の装飾部が設けられ、
前記台座は、
一方の主面に、第２の着脱手段を介して、略円柱状の基部を有する第２の装飾部が設けられており、
前記第１の着脱手段と第２の着脱手段が、同一の寸法及び形状であって、前記第１の装飾部と第２の装飾部が、交換可能であることを特徴とするイヤホン。
【請求項２】
前記ハウジングの端部と前記第１の装飾部の基部との間に、これらの径よりも小さい径を有する略円筒状の部材を備えた前記第１の着脱手段が形成され、
前記台座の一方の主面と前記第２の装飾部の基部との間に、該第２の基部の径よりも小さい径を有する略円筒状の部材を備えた前記第２の着脱手段が形成されることを特徴とする請求項１に記載のイヤホン。
【請求項３】
前記第１の装飾部を装着した状態において、前記第１の着脱手段の略円筒状の部材の高さが、２〜３ｍｍであり、
前記第２の装飾部を装着した状態において、前記第２の着脱手段の略円筒状の部材の高さが、２〜３ｍｍであることを特徴とする請求項２記載のイヤホン。
【請求項４】
前記第１の着脱手段及び前記第２の着脱手段が、ネジ式であることを特徴とする請求項１〜３のいずれか一項に記載のイヤホン。
【請求項５】
前記台座が、前記一対のイヤホンコードに対してスライド可能なスライダを備えており、前記台座の位置が調整可能であることを特徴とする請求項１〜４のいずれか一項に記載のイヤホン。
【請求項６】
前記第１の装飾部は、該第１の装飾部の前記基部から膨出した形状の第１の装飾体を備え、
前記第２の装飾部は、該第２の装飾部の前記基部から膨出した形状の第２の装飾体を備えることを特徴とする請求項１〜５のいずれか一項に記載のイヤホン。
【手続補正２】
【補正対象書類名】明細書
【補正対象項目名】０００７
【補正方法】変更
【補正の内容】
【０００７】
本発明のイヤホンは、一対のイヤホン本体部と、該一対のイヤホン本体部から伸びる一対のイヤホンコードを、使用者の胸元から首元の間で束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられ、前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能であることを特徴とする。
【手続補正３】
【補正対象書類名】明細書
【補正対象項目名】０００９
【補正方法】変更
【補正の内容】
【０００９】
他の形態は、前記第１の装飾部を装着した状態において、前記第１の着脱手段の略円筒状の部材の高さが、２〜３ｍｍであり、前記第２の装飾部を装着した状態において、前記第２の着脱手段の略円筒状の部材の高さが、２〜３ｍｍであることを特徴とする。更に他の形態は、前記第１の着脱手段及び前記第２の着脱手段が、ネジ式であることを特徴とする。更に他の形態は、前記台座が、前記一対のイヤホンコードに対してスライド可能なスライダを備えており、前記台座の位置が調整可能であることを特徴とする。
【手続補正４】
【補正対象書類名】明細書
【補正対象項目名】００１１
【補正方法】変更
【補正の内容】
【００１１】
本発明のイヤホンによれば、一対のイヤホン本体部と、該一対のイヤホン本体部から伸びる一対のイヤホンコードを、使用者の胸元から首元の間で束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられ、前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能であることとした。このため、一対のイヤホン本体部に設けられた第１の装飾部と、一対のイヤホンコードを束ねる位置にある台座に設けられた第２の装飾部により、イヤホン全体で見たときの装飾性が高い。また、前記第１の装飾部と第２の装飾部が交換可能なため、使用者の好みに応じて容易に装飾部分の交換が可能になるという効果がある。
【手続補正５】
【補正対象書類名】明細書
【補正対象項目名】００３４
【補正方法】変更
【補正の内容】
【００３４】
本発明によれば、一対のイヤホン本体部と、該一対のイヤホン本体部から伸びる一対のイヤホンコードを、使用者の胸元から首元の間で束ねる台座と、を備え、前記一対のイヤホン本体部は、略筒状のハウジングに設けられるイヤーピースとは反対側の端部に、第１の着脱手段を介して、略円柱状の基部を有する第１の装飾部が設けられている。前記台座は、一方の主面に、第２の着脱手段を介して、略円柱状の基部を有する第２の装飾部が設けられており、前記第１の着脱手段と第２の着脱手段が、同一の寸法及び形状であって、前記第１の装飾部と第２の装飾部が、交換可能である。このため、一対のイヤホン本体部に設けられた第１の装飾部と、一対のイヤホンコードを束ねる位置にある台座に設けられた第２の装飾部により、イヤホン全体で見たときの装飾性が高い。また、前記第１の装飾部と第２の装飾部が交換可能なため、使用者の好みに応じて容易に装飾部分を交換することができ、装飾性を重視したイヤホンの用途に好適である。